(57)【特許請求の範囲】
【請求項１】
調理物を収納する加熱室と、前記加熱室に回転自在に取り付けた扉の主要部を構成する扉本体とを備え、前記扉本体の外周部と中央部とを同一の平面上に構成した場合、扉の開閉にともない扉がねじれないようにするために前記扉本体の外周部と中央部とを連結する扉ねじれ防止手段を設け、前記扉ねじれ防止手段を少なくとも二個所に設け、かつ扉ねじれ防止手段の少なくとも一組を連結する連結部とを有する加熱調理装置。
【請求項２】
調理物を収納する加熱室と、前記加熱室に回転自在に取り付けた扉の主要部を構成する扉本体とを備え、前記扉本体の外周部と中央部とを同一の平面上に構成した場合、扉の開閉にともない扉がねじれないようにするために前記扉本体の外周部と中央部とを連結する扉ねじれ防止手段を設け、前記扉ねじれ防止手段近傍に開口部を有する加熱調理装置。
【請求項３】
調理物を収納する加熱室と、前記加熱室に回転自在に取り付けた扉の主要部を構成する扉本体とを備え、前記扉本体の外周部と中央部とを同一の平面上に構成した場合、扉の開閉にともない扉がねじれないようにするために前記扉本体の外周部と中央部とを連結する扉ねじれ防止手段を設け、前記扉ねじれ防止手段を少なくとも二個所に設け、かつ扉ねじれ防止手段の少なくとも一組を連結する連結部とを有し、前記扉ねじれ防止手段近傍に開口部を有する加熱調理装置。
【請求項４】
扉ねじれ防止手段は、扉本体の外周部と中央部を連結している部分に段差を有しない構成とした請求項１〜３のいずれか１項に記載の加熱調理装置。
【請求項５】
加熱室の扉と対向する面に絞り部を有する構成とした請求項１〜４のいずれか１項に記載の加熱調理装置。
【請求項６】
扉本体と、前記扉本体を回転自在に保持するヒンジ保持手段と、扉ねじれ防止手段とを有し、前記扉ねじれ防止手段は、前記ヒンジ保持手段の近傍に設ける構成とした請求項１ないし５のいずれか１項に記載の加熱調理装置。
【発明の詳細な説明】
【０００１】
【発明の属する技術分野】
本発明は加熱調理装置、特に電子レンジの扉の構成に関するものである。
【０００２】
【従来の技術】
従来この種の加熱調理装置は、例えば特開平８−２１９４６８号公報に示すようなものが一般的であった。以下、この公報をもとに従来の扉の構成について図３、図４を用いて説明する。
【０００３】
図３は扉の要部を示す図で、図３（ａ）は要部正面図、図３（ｂ）は要部側部断面図である。図４は加熱調理装置の一部切欠き斜視図である。
【０００４】
加熱調理装置は調理物を加熱する加熱室１と、加熱室の前面開口部に回転自在に設けられた扉２と、調理の選択や調理条件等を設定する操作部３とより構成されている。扉２はその主要部を構成する扉本体４と、扉が回転自在に回転できるようにするためのヒンジを有するヒンジ保持手段５と、これらを覆う外装とより構成されている。
【０００５】
扉本体４は、その外周部６と中央部７とでは加熱室１の開口面からの高さが異なり段差を有していた。これは、中央部７の高さを変えることにより加熱室１内の加熱パターンを最適に設計するためである。
【０００６】
ヒンジ保持手段５は上下にヒンジピン８を有し、このピンは夫々上下のヒンジピン孔９に回転自在に保持されていた。また、ヒンジ保持手段５は扉本体４がねじれにくいようにするために扉本体４の上部と下部とで夫々外周部６と中央部７とを扉ねじれ防止手段により連結していた。ここで扉ねじれ防止手段とは溶接等によりヒンジ保持手段５と扉本体４の外周部６および中央部７とを固定した箇所１０ａ、１０ｂを含む部分を言う。扉本体４の外周部と中央部には一般に段差があったので、ヒンジ保持手段５の扉本体４との固定箇所１０ａと１０ｂとでは段差があることになる。
【０００７】
【発明が解決しようとする課題】
しかしながら、従来の加熱調理装置では、ヒンジ保持手段５の扉ねじれ防止手段部分には段差があり、この段差の両端には、それぞれ屈曲部１１ａ、１１ｂが存在している。そして上下の扉ねじれ防止手段部はそれぞれ独立していたため、扉本体４に強い力が加わると屈曲部１１ａ、１１ｂには曲げモーメントが加わり変形し、扉本体４がねじれ易いという問題があった。また、扉本体４をねじれにくくするためにヒンジ保持手段５の厚さを増したり幅を広くしたりしなければならなかったが、コストがかかるだけでなく、扉本体４を塗装する場合には、外周部６と中央部７の間の溝部１１に塗料が付きにくく、さびやすいという問題があった。さらにヒンジ保持手段４の扉ねじれ防止手段部には段差があったため、ヒンジ保持手段５と扉本体４の外周部６及び扉ねじれ防止手段部と扉本体４の中央部７をプロジェクション溶接にてそれぞれ溶接する場合、溶接圧力を一定にして良好な溶接を行うためには、扉本体４、ヒンジ保持手段５、及び溶接電極（図示せず）のそれぞれを精度よく管理しなければならなかったため製造が難しいという問題があった。
【０００８】
【課題を解決するための手段】
本発明は上記課題を解決するために、扉本体の外周部及び中央部の高さを同一にし、ヒンジ保持手段と扉ねじれ防止手段との間に段差部を有さないようにしたものである。
【０００９】
上記発明によれば、ヒンジ保持手段と扉ねじれ防止手段との間に段差部を有さないので、屈曲部がなく、曲げモーメントによる変形がないので、扉本体に力が加わっても容易にねじれないようにすることができる。
【００１０】
【発明の実施の形態】
本発明は調理物を収納する加熱室と、前記加熱室に回転自在に取り付けた扉の主要部を構成する扉本体とを備え、前記扉本体の外周部と中央部とを同一の平面状に構成した場合、扉の開閉にともない扉がねじれないようにするために前記扉本体の外周部と中央部とを連結する扉ねじれ防止手段を設け、調理物を収納する加熱室と、前記加熱室に回転自在に取り付けた扉本体と、前記扉本体の外周部と、前記扉本体の中央部と、前記外周部と前記中央部を連結する少なくとも二個所に設けた扉ねじれ防止手段と、前記扉ねじれ防止手段の少なくとも一組を連結する連結部とを有する構成とした。
【００１１】
そして扉ねじれ防止手段は、平面で構成することができ屈曲部がないので、扉本体に力が加わった場合にも、扉ねじれ防止手段には曲げモーメントがかからないので、扉の外周部に対し、中央部が移動することを確実に防止することができるので、扉本体の強度を確保することができる。
【００１２】
そして複数の扉ねじれ防止手段がそれぞれ独立して動くことがなく、相互に動きを制限するので、扉本体のねじれを抑制することができる。
【００１３】
また、調理物を収納する加熱室と、前記加熱室に回転自在に取り付けた扉の主要部を構成する扉本体とを備え、前記扉本体の外周部と中央部とを同一の平面状に構成した場合、扉の開閉にともない扉がねじれないようにするために前記扉本体の外周部と中央部とを連結する扉ねじれ防止手段を設け、さらに扉ねじれ防止手段近傍に開口部を有する構成とした。
【００１４】
そして扉本体の外周部と中央部の間の溝部にも塗料が付きやすくすることができ、扉本体をさびにくくすることができる。
【００１５】
さらに、扉ねじれ防止手段は、扉本体の外周部と中央部を連結している部分に段差を有しない構成とした。
【００１６】
そして扉ねじれ防止手段は、屈曲部がないので、扉本体に力が加わった場合にも、扉ねじれ防止手段には曲げモーメントがかからないので、扉の外周部に対し、中央部が移動することを確実に防止することができるので、扉本体の強度を確保することができる。
【００１７】
さらに加熱室の扉と対向する面に絞り部を有する構成とした。
【００１８】
そして加熱室内部の実質奥行き寸法を、絞り高さで任意に調整することができるので、加熱室内の加熱パターンを任意に調節することができ、扉本体の外周部と中央部をほぼ同一平面状に構成することができる。
【００１９】
さらに扉本体と、前記扉本体を回転自在に保持するヒンジ保持手段と、扉ねじれ防止手段とを有し、前記扉ねじれ手段は、前記ヒンジ保持手段の近傍に構成とした。
【００２０】
そして、扉本体を保持しているヒンジ保持手段と、扉本体の外周部と、中央部を同時に連結することができ、扉本体のねじれを抑制することができる。
【００２１】
【実施例】
以下、本発明の実施例について図面を用いて説明する。なお、従来例と同じ機能を有する機能部分には同じ符号を符した。
【００２２】
（実施例１）
図１（ａ）および（ｂ）は本発明の一実施例の加熱調理装置の要部正面図および要部側部断面図である。また図２は加熱調理装置の一部切欠き要部斜視図である。
【００２３】
図１および図２において、被加熱物を収納する加熱室１前面に、加熱室１に被調理物を取り入れ取り出しするために回転自在に扉２を設けている。１２は扉２の主要部であり、本発明の構成を有する扉本体である。扉本体１２は、ヒンジピン８を有するヒンジ保持手段１３を有している。ヒンジピン８はそれぞれヒンジ孔９に回転自在に保持されている。ヒンジ保持手段１３近傍には扉本体１２がねじれにくいように扉本体１２の外周部１４と中央部１５を連結している扉ねじれ防止手段１６を有している。本実施例における扉ねじれ防止手段１６はその両端を扉本体１２の外周部１４および中央部１５と溶接等の手段により固定されている。加熱室１の裏面すなわち扉本体１２に対し反対の面には加熱パターン調整絞り１７を有している。扉本体１２の外周部１４と中央部１５は同一の絞り高さにしており、ヒンジ保持手段１３本体部と扉ねじれ防止手段１６との間には段差部がない。扉ねじれ防止手段１６は連結手段１８によって連結している。扉ねじれ防止手段１６近傍には開口部１９を有している。
【００２４】
すなわち、本実施例のヒンジ保持手段は図１（ａ）に示すように、上部と下部とに夫々一組のヒンジピン８と扉ねじれ手段１６と開口部１９とを有し、上部と下部とを連結手段１８で連結すると共に連結手段１８の中央部に溝２０に対応して長方形状の開口部２１を有する構成となっている。
【００２５】
次に動作、作用について説明すると、扉本体１２の外周部１４と中央部１５は扉ねじれ防止手段１６によって連結されているので、扉本体１２に力が加わった場合、外周部１４に対して中央部１５が移動しないため、扉本体１２はねじれにくい。また、ヒンジ保持手段１３の近傍に扉ねじれ防止手段１６を構成しているので、扉本体１２の回転中心であるヒンジピン８と、扉本体１２の外周部１４と、中央部１５を同時に固定することができるため、扉本体１２の回転中心に対するねじれを最小限に抑制することができる。扉本体１２の外周部１４と中央部１５の絞り高さは同一であるため、ヒンジ保持手段１３と扉ねじれ防止手段１６の間には段差がなく、従来のような屈曲部もないため、曲げモーメントによる変形がない。したがって、従来の加熱調理装置に比べて、扉本体１２をきわめてねじれにくくすることができる。一般に、電子レンジなどの加熱調理装置の場合、食品を均一に加熱するためには、加熱室１の幅、高さ、奥行きなどを調整して、加熱室１内部の電界の立ちかたを調整する。従来の加熱調理装置では、加熱パターンの最適化のため扉本体４の中央部７の絞り高さを調整しなければならなかったが、本発明の加熱調理装置では加熱室１の裏面に加熱パターン調整絞り１７を有することによって、加熱室１の実質奥行きを調整することができ、扉本体１２の外周部１４と中央部１５の絞り高さを同一にすることができる。また、扉ねじれ防止手段１６は連結手段１８によって連結されているため、上下の扉ねじれ防止手段１６がそれぞれ独立して動くことがなく、扉本体１２はさらにねじれにくい。
【００２６】
また、ヒンジ保持手段１３の扉ねじれ手段１６近傍には開口部１９および２１が開いているため、扉本体１２の外周部１４と中央部１５の間の溝部２０にも塗料が付きやすいため、さびにくくすることができる。さらに、ヒンジ保持手段１３本体部を扉本体１２の外周部１４に、扉ねじれ防止手段１６をそれぞれ中央部１５にプロジェクション溶接する場合、これらの溶接面には段差がないので、ヒンジ保持手段１３、扉本体１２および溶接電極（図示せず）の管理を容易にすると同時に、溶接圧力を一定にして良好な溶接をすることができる。
【００２７】
なお、扉本体１２、ヒンジ保持手段１３、扉ねじれ防止手段１６、あるいは連結手段１８の少なくともいずれかに、リブまたはフランジなどの補強手段を追加してもよい。また、ヒンジピン８はヒンジ保持手段１３に取り付けた状態で説明したが、加熱室１側にあってもよく、ヒンジピン８の数、取り付け方向、位置、またはピッチなどは本実施例に限定するものではない。また、本実施例では加熱パターン調整しぼり１７を有した状態で説明したが、加熱パターン調整しぼり１７の代わりに加熱室１の奥行き寸法自体を調整しても同様の効果を得ることができる。
【００２８】
【発明の効果】
以上のように、本発明によれば、扉本体の外周部及び中央部の高さを同一にし、ヒンジ保持手段と扉ねじれ防止手段との間に段差部を有さないので、屈曲部がなく、曲げモーメントによる変形がないので、扉本体に力が加わっても容易にねじれないという有利な効果を有する。
【図面の簡単な説明】
【図１】（ａ）本発明の一実施例の加熱調理装置の要部正面図
（ｂ）同加熱調理装置の要部側面断面図
【図２】同加熱調理装置の一部切欠き斜視図
【図３】（ａ）従来の加熱調理装置の要部正面図
（ｂ）同加熱調理装置の要部側面断面図
【図４】同加熱調理装置の一部切欠き斜視図
【符号の説明】
１  加熱室
２  扉
１２  扉本体
１３  ヒンジ保持手段
１４  扉本体の外周部
１５  扉本体の中央部
１６  扉ねじれ防止手段
１８  連結手段（連結部）
１９  開口部
２１  開口部
【図１】
0003570268.tif 000002
【図２】
0003570268.tif 000003
【図３】
0003570268.tif 000004
【図４】
0003570268.tif 000005